(57)【要約】【課題】  衣料用等の液体洗浄剤組成物は、今後ますます深刻化する環境問題に対して、被洗物の汚れの実態をふまえ、これまでにも増して、より環境に配慮した、環境への負荷の低い洗剤設計が求められるようになってきている。本発明は、従来技術の課題及び事情等に鑑み、これを解消しようとするものであり、液状油性成分を配合することで高い洗浄性能を発揮する衣料用液体洗浄剤組成物を提供することを目的とする。【解決手段】  液状油性成分と非イオン界面活性剤を配合することにより上記課題を解決する。【選択図】  なし【特許請求の範囲】
【請求項１】
液状油性成分と非イオン界面活性剤を配合することを特徴とする衣料用液体洗浄剤組成物。
【請求項２】
非イオン界面活性剤がポリグリセリン脂肪酸エステルもしくはポリグリセリンアルキルエーテルであることを特徴とする請求項１記載の衣料用洗浄剤組成物。
【請求項３】
液体洗浄剤が液晶型であることを特徴とする請求項１または２記載の衣料用洗浄剤組成物。
【請求項４】
液体洗浄剤の液性が中性であることを特徴とする請求項１〜３いずれかに記載の衣料用洗浄剤組成物。
【発明の詳細な説明】
【技術分野】
【０００１】
本発明は、洗浄性に優れた液体洗浄剤組成物に関する。
【背景技術】
【０００２】
衣料用等の液体洗浄剤組成物は、今後ますます深刻化する環境問題に対して、被洗物の汚れの実態をふまえ、これまでにも増して、より環境に配慮した、環境への負荷の低い洗剤設計が求められるようになってきている。
【０００３】
こうした洗濯液中の界面活性剤濃度の低い衣料用洗浄剤組成物及びその洗濯方法としては、例えば、アルカリ金属ケイ酸塩や炭酸塩を主成分とすることによって界面活性剤濃度の低減を図るもの（例えば特許文献１及び２参照。）や、非イオン界面活性剤、長鎖アミン及びジ長鎖アルキル型のカチオン界面活性剤を含有する液体洗浄剤組成物（例えば特許文献３参照。）が知られている。
【０００４】
しかしながら、上記特許文献１及び２の洗浄剤組成物では、無機物の安定配合が難しく、界面活性剤が主要成分となる液体洗剤においてはそのまま利用することができないという課題がある。
また、上記特許文献３の液体洗浄剤組成物は、洗浄効果に優れると同時に、衣料に対して柔軟効果を訴求したものであり、低濃度での洗浄力を意図したものではなく、本願発明とは技術思想が相違するものである。
【０００５】
【特許文献１】特開平９−１３２７９４号公報（１〜２１ページ）
【特許文献２】特開平９−２３５５９１号公報（１〜１７ページ）
【特許文献３】特開２００３−２０６５００号公報（１〜２５ページ）
【発明の開示】
【発明が解決しようとする課題】
【０００６】
本発明は、上記従来技術の課題及び事情等に鑑み、これを解消しようとするものであり、液状油性成分を配合することで高い洗浄性能を発揮する衣料用液体洗浄剤組成物を提供することを目的とする。
【課題を解決するための手段】
【０００７】
本発明者らは、上記従来の課題等を解決するために、鋭意検討した結果、液状油性成分を配合することで衣料に染み込んだ油汚れを溶かし出し、洗浄剤組成物中の非イオン界面活性剤が界面活性能により汚れを除去することを知見した。さらに非イオン界面活性剤としてはポリグリセリン脂肪酸エステルもしくはポリグリセリンアルキルエーテルを使用することでより高い洗浄性を有し、なかでも液体洗浄剤が液晶型であることが更に高い洗浄性を有することを知見し、本発明を完成するに至ったものである。また、本発明の液体洗浄剤の液性は中性であり、洗浄対象とする衣料種の選択性も高い。
【０００８】
本発明者らは上記の点に鑑み、鋭意検討の結果本発明に至った。即ち、本発明は、液状油性成分を配合することで高い洗浄性能を発揮する衣料用液体洗浄剤組成物を見出し、本発明に至ったものである。
【発明の効果】
【０００９】
本発明により従来の洗浄剤では不可能であった高い洗浄性を有する衣料用液体洗浄剤組成の製造が可能となる。
【発明を実施するための最良の形態】
【００１０】
以下、詳細に本発明を説明する。
【００１１】
本発明の液状油性成分は、衣料に染み込んだ油汚れを溶かしだす目的として配合するもので、油性成分としては特に限定するものではなく、天然品でも化学合成品でもよい。例えばアボガド油、ツバキ油、タートル油、マカダミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、月見草油、落花生油、茶実油、カヤ油、コメヌカ油、シナギリ油、日本キリ油、ホホバ油、胚芽油、トリオクタン酸グリセリン、トリイソパルミチン酸グリセリン等の液状油脂、流動パラフィン、スクワレン、スクワラン、プリスタン等の炭化水素、オレイン酸、トール酸、イソステアリン酸等の高級アルコール脂肪酸、ラウリルアルコール、オレイルアルコール、イソステアリルアルコール、オクチルドデカノール等の高級アルコール、ジメチルポリシロキサン、メチルフェニルポリシロキサン、メチルハイドロジェンポリシロキサン、オクタメチルシクロペンタシロキサン、デカメチルシクロヘキサシロキサン、ステアロキシシリコーン等の高級アルコキシ変成シリコーン、アルキル変成シリコーン、高級脂肪酸エステル変性シリコーン等のシリコーン、アジピン酸ジイソブチル、アジピン酸２−ヘキシルデシル、アジピン酸ジ−２−ヘプチルウンデシル、イソステアリン酸イソステアリル、トリイソステアリン酸トリメチロールプロパン、２−エチルヘキサン酸セチル、ジ−２−エチルヘキサン酸ネオペンチルグリコール、トリ−２−エチルヘキサン酸トリメチロールプロパン、テトラ−２−エチルヘキサン酸ペンタエリスリトール、オクタン酸セチル、オレイン酸オレイル、オレイン酸オクチルドデシル、オレイン酸デシル、ジカプリン酸ネオペンチルグリコール、コハク酸２−エチルヘキシル、ステアリン酸イソセチル、ステアリン酸ブチル、セバシン酸ジイソプロピル、乳酸セチル、乳酸テトラデシル、パルミチン酸２−エチルヘキシル、パルミチン酸２−ヘキシルデシル、パルミチン酸２−ヘプチルウンデシル、１２−ヒドロキシステアリン酸コレステリル、オレイン酸フィトステリル、リンゴ酸ジイソステアリル、パラメトキシケイ皮酸エステル、テトラロジン酸ペンタエリスリット等のエステル類、トリイソステアリン酸グリセリル、トリイソパルミチン酸グリセリル、トリ２−エチルヘキサン酸グリセリル、トリテトラデカン酸グリセリル、ジパラメトキシケイ皮酸・モノイソオクチル酸グリセリル等のグリセライド油、トコフェロールやその誘導体、レチノールやその誘導体等の脂溶性ビタミン等が挙げられる。また、上記油脂に水素添加、分別等の処理を施して得られるものでもよい。なお、グリセリド成分としての不飽和脂肪酸、側鎖状脂肪酸やジグリセリド、モノグリセリド等は若干量であれば含まれていてもかまわない。また、液体洗浄剤中の配合割合も特に定めるものではないが、油汚れを充分に溶かしだす観点から液体洗浄剤中５％以上が好ましく、液体洗浄剤が液晶型を形成する観点から好ましくは５〜９５％、より好ましくは１０〜８５％、最も好ましくは３０〜８０％である。
【００１２】
本発明の非イオン界面活性剤は洗浄性と液体洗浄剤の安定性を目的とするものであれば特に限定するものではない。好ましくは洗浄性の観点からポリグリセリン脂肪酸エステル及びポリグリセリンアルキルエーテルが好ましい。また、ポリグリセリン脂肪酸エステル及びポリグリセリンアルキルエーテルは洗浄性と液体洗浄剤の安定性を目的とするものであれば特に限定するものではなく、ポリグリセリン重合度、アルキル鎖長、ＨＬＢは目的に応じて自由に選択すればよいが、洗浄性と液体洗浄剤の安定性の双方を兼ね備える観点から、ポリグリセリン重合度は好ましくは２〜２０、より好ましくは２〜１０である。また、ポリグリセリン脂肪酸エステル中のポリグリセリンは全ての水酸基のうち１級水酸基が５０％以上であることが可溶化性能または乳化性能の観点から好ましく、５５％以上がより好ましく、６０％以上がさらに好ましく、さらに上限値は、特に規定するものではないが、その効果を最大限に発揮させるためには９０％以下であることが望ましい。全ての水酸基のうちの１級水酸基の割合は、炭素原子に対する核磁気共鳴スペクトル（ＮＭＲ）を測定する方法を用いて測定することができる。また、構成するアルキル鎖長はＣ６〜Ｃ２２の炭素を有することが望ましく、１種又は２種以上を組み合わせて用いてもよい。また、アルキル鎖長は直鎖型、分岐型を問うものではないが、構成する洗浄剤組成物の性状より自由に選択することが望ましい。ＨＬＢも同様に洗浄剤組成物の性状より自由に選択することが望ましいが、好ましくは４〜１８、より好ましくは６〜１６、最も好ましくは８〜１４である。また、液体洗浄剤中のポリグリセリン脂肪酸エステル及び又はポリグリセリンアルキルエーテル配合割合も特に限定するものではないが、好ましくは２〜３０％、より好ましくは５〜２５％、最も好ましくは１０〜２５％である。ポリグリセリン脂肪酸エステル及びポリグリセリンアルキルエーテルは１種又は２種以上を組合わせて用いてもよい。
【００１３】
本発明の液体洗浄剤の液晶型は特に限定するものではないが、洗浄性の観点からラメラ液晶型が望ましい。ラメラ液晶構造とは、両親媒性分子の二分子膜と水とが交互に配向した分子配列の規則性を残しながら流動性を保った状態のものであり、光学異方性という特異な光学特性を示すことから偏光板や偏光顕微鏡による観察により容易に確認することができる。ラメラ液晶型をとることで、油汚れ対してなじみやすく、汚れ浮きが速く、かつ安定性、水洗性に優れる。また、適度な粘度を有することを特徴とし、２５℃での粘度が１００〜５０００ｍＰａ・ｓである。
【００１４】
本発明の液体洗浄剤の液性が中性であることは、ウール、絹、アクリル等のセーターやブラウス等のデリケートな繊維素材を対象とした洗浄剤として使用できるため好ましい。
【００１５】
本発明の液体洗浄剤組成物には、アニオン界面活性剤、両性界面活性剤、ポリグリセリン脂肪酸エステル及びポリグリセリンアルキルエール以外の非イオン性界面活性剤を配合してもよく、例えばアニオン界面活性剤としては、ポリオキシエチレンアルキル硫酸塩、アルキル硫酸塩等の硫酸エステル型アニオン界面活性剤、アルキルベンゼンスルホン酸塩、オレフィンスルホン酸塩、アルカンスルホン酸塩、αスルホ脂肪酸塩等のスルホネート型アニオン界面活性剤、アルキレンオキサイド付加アルキルまたはアルケニルエーテル硫酸塩、脂肪酸塩、等が挙げられる。
【００１６】
両性界面活性剤としては、例えば、アルキルベタイン、アルキルヒドロキシスルホベタイン、アルキルアミドベタイン、イミダゾリニウムベタイン、Ｎ−アルキルアミノ酸等が挙げられるが、これらに限定されるものではない。
非イオン界面活性剤としては例えば、脂肪酸アルカノールアミド、ポリオキシエチレンアルキルエーテル、ソルビタン脂肪酸エステル、ポリオキシエチレンアシルエステル、アルキルポリグリコシド、脂肪酸グリコシドエステル、脂肪酸メチルグリコシドエステル、アルキルメチルグルカミド等が挙げられるが、これらに限定されるものではない。
【００１７】
本発明の洗浄剤組成物には、前記成分のほか、通常の洗浄剤組成物に用いられる成分、例えばアニオン性、ノニオン性、カチオン性ポリマー等の粘度調整剤、脂肪酸等の増泡剤、防腐剤、水溶性高分子、ｐＨ調整剤、パール化剤、紫外線吸収剤、酸化防止剤、香料、色素、ビルダー等を、本発明の効果を損なわない範囲で適宜配合することができる。
【００１８】
また、洗浄剤の保存安定性の観点から多価アルコールを配合しても良い。多価アルコールとしてはプロピレングリコール、グリセリン、ジグリセリン、１，３−ブチレングリコール、イソプレングリコール、ジプロピレングリコール、ポリエチレングリコール、ペンタエリスリトール、ネオペンチルグリコール、ソルビトール、ソルビタン、マルチトール、トレハロースなどの１種もしくは２種以上が挙げられる。
【実施例】
【００１９】
以下、実施例を挙げて本発明をさらに具体的に説明するが、本発明がかかる実施例のみに限定されるものではない。
【００２０】
試験例１
表１から表３の処方に基づき液体洗浄剤組成物を調製し、洗浄力試験を行った。
洗浄力試験には市販人工汚染布（皮脂系人工汚染布、鉱物油系人工汚染布）を使用し、洗浄力は洗浄前と洗浄後の色差計による明度差（Ｌ値  Ｖａｌｕｅ  ｌｉｇｈｔｎｅｓｓ※）にて比較した。試験方法は以下の手順に従い実施した。
【００２１】
＜洗浄・評価方法＞
手順１  汚染布（５ｃｍ四方）をシャーレに取り、洗浄剤を１．２５ｍｌ塗布する。
手順２  汚染布全体に染み込ませて５分間静置する。
手順３  ２分間揉み洗いし、その後１分間流水でもみ濯ぎする。
手順４  汚染布の水を絞り、乾燥機に入れて乾燥させる。
手順５  色差計にて汚染布の明度（Ｌ値  Ｖａｌｕｅ  ｌｉｇｈｔｎｅｓｓ※）を測定し洗浄力の比較を行う。
※Ｌ値：  明度低０  ⇔  １００明度高
【００２２】
【表１】
2007112914.tif 000002
【００２３】
【表２】
2007112914.tif 000003
【００２４】
【表３】
2007112914.tif 000004
【００２５】
＜評価基準＞
皮脂系人工汚染布
◎：Ｌ値７５以上
○：Ｌ値７０以上７５未満
△：Ｌ値６５以上７０未満
×：Ｌ値６５未満
尚、◎、及び○を合格品とする。
鉱物油系人工汚染布
◎：Ｌ値６０以上
○：Ｌ値５５以上６０未満
△：Ｌ値５０以上５５未満
×：Ｌ値５０未満
尚、◎及び○を合格品とする。
【００２６】
表１から表３より、液状油性成分を配合することを特徴とする衣料用液体洗浄剤組成物が優れた洗浄力を有することは明らかである。
【産業上の利用可能性】
【００２７】
本発明の液状油性成分を配合することを特徴とする衣料用液体洗浄剤組成物は、洗浄力を必要とする洗浄剤の分野で有効に利用される。